(57)【特許請求の範囲】
【請求項１】
少なくとも質問を含んだデータである問い合わせデータから、該問い合わせデータに関連する用語と、該問い合わせデータに含まれている質問の意図を表す表現と、を組にして抽出する問い合わせデータ特徴抽出手段と、
前記用語に対応した機能を説明する文書データから、用語と、該用語に対応した機能を示す表現と、を組にして抽出する用語別機能表現抽出手段と、
前記データ特徴表現抽出手段の抽出結果と、前記用語別機能表現抽出手段の抽出結果とのそれぞれに含まれている前記用語が一致するもの同士で、前記質問の意図を表す表現と前記各用語に対応する機能を示す表現のマッチングを行う問い合わせデータ・機能表現マッチング手段と、
前記問い合わせデータ・機能表現マッチング手段によるマッチング結果に基づいて選別した前記機能を示す表現に基づいて前記問い合わせデータを絞り込むファセットの表現を生成するファセット用表現選別手段と、
を備えることを特徴とするファセット生成装置。
【請求項２】
請求項１に記載のファセット生成装置であって、
前記問い合わせデータ・機能表現マッチング手段は、前記データ特徴表現抽出手段の抽出結果に含まれている質問の意図を表す表現と前記用語別機能表現抽出手段の抽出結果に含まれている用語の機能を示す表現とが、同義又は類似の場合にマッチングしていると判断することを特徴とするファセット生成装置。
【請求項３】
請求項１又は２に記載のファセット生成装置であって、
ユーザから入力された検索条件に適合する問い合わせデータを、問い合わせデータの集合から検索する問い合わせデータ検索手段を更に備え、
前記問い合わせデータ特徴抽出手段が抽出元とする問い合わせデータとは、前記問い合わせデータ検索手段の検索により発見された、前記ユーザから入力された検索条件に適合する問い合わせデータであることを特徴とするファセット生成装置。
【請求項４】
請求項１乃至３の何れか１項に記載のファセット生成装置であって、
前記問い合わせデータ・機能表現マッチング手段が、
前記問い合わせデータ特徴表現抽出手段の抽出結果に含まれている用語又は前記用語別機能表現抽出手段の抽出結果に含まれている用語の何れか又は双方の用語を、用語間の同義関係、類義関係、上位下位関係及び共起関係の何れか又はそれらの組合せに基づき他の用語に拡張し、拡張後の用語を用いて前記一致するか否かの判断を行うことを特徴とするファセット生成装置。
【請求項５】
請求項１乃至４の何れか１項に記載のファセット生成装置であって、
前記問い合わせデータ・機能表現マッチング手段が、前記用語別機能表現抽出手段の抽出結果に含まれている用語を類似ないしは同一の機能を有する他の用語に拡張し、拡張後の用語を用いて前記一致するか否かの判断を行うことを特徴とするファセット生成装置。
【請求項６】
請求項１乃至５の何れか１項に記載のファセット生成装置であって、
前記問い合わせデータ・機能表現マッチング手段が、前記データ特徴表現抽出手段の抽出結果に含まれている質問の意図を表す表現と前記用語別機能表現抽出手段の抽出結果に含まれている用語の機能を示す表現との何れかの表現の一部を他の表現に置き換えたうえで前記マッチングを行うことを特徴とするファセット生成装置。
【請求項７】
請求項１乃至６の何れか１項に記載のファセット生成装置であって、
ファセット用表現選別手段は、前記機能を示す表現の一部の表現を他の表現に置き換えて前記ファセットの表現を生成することを特徴とするファセット生成装置。
【請求項８】
請求項１乃至７の何れか１項に記載のファセット生成装置であって、
前記生成したファセットを利用者に提示するための出力手段を更に備えることを特徴とするファセット生成装置。
【請求項９】
問い合わせデータ特徴表現抽出手段と、用語別機能表現抽出手段と、問い合わせデータ・機能表現マッチング手段と、ファセット用表現選別手段とを備えるファセット生成装置がソフトウェアによる情報処理により行うファセット生成方法であって、
前記問い合わせデータ特徴表現抽出手段が、少なくとも質問を含んだデータである問い合わせデータから、該問い合わせデータに関連する用語と、該問い合わせデータに含まれている質問の意図を表す表現と、を組にして抽出する問い合わせデータ特徴表現抽出ステップと、
前記用語別機能表現抽出手段が、前記用語に対応した機能を説明する文書データから、用語と、該用語の機能を示す表現と、を組にして抽出する用語別機能表現抽出ステップと、
前記問い合わせデータ・機能表現マッチング手段が、前記データ特徴表現抽出ステップの抽出結果と、前記用語別機能表現抽出ステップの抽出結果とのそれぞれに含まれている前記用語が一致するもの同士で、前記質問の意図を表す表現と前記各用語の機能を示す表現のマッチングを行う問い合わせデータ・機能表現マッチングステップと、
前記ファセット用表現選別手段が、前記問い合わせデータ・機能表現マッチングステップによるマッチング結果に基づいて選別した前記機能を示す表現に基づいて前記問い合わせデータを絞り込むファセットの表現を生成するファセット用表現選別ステップと、
を含むことを特徴とするファセット生成方法。
【請求項１０】
コンピュータをファセット生成装置として機能させるファセット生成プログラムであって、
前記コンピュータを、
少なくとも質問を含んだデータである問い合わせデータから、該問い合わせデータに関連する用語と、該問い合わせデータに含まれている質問の意図を表す表現と、を組にして抽出する問い合わせデータ特徴表現抽出手段と、
前記用語に対応した機能を説明する文書データから、用語と、該用語の機能を示す表現と、を組にして抽出する用語別機能表現抽出手段と、
前記データ特徴表現抽出手段の抽出結果と、前記用語別機能表現抽出手段の抽出結果とのそれぞれに含まれている前記用語が一致するもの同士で、前記質問の意図を表す表現と前記各用語の機能を示す表現のマッチングを行う問い合わせデータ・機能表現マッチング手段と、
前記問い合わせデータ・機能表現マッチング手段によるマッチング結果に基づいて選別した前記機能を示す表現に基づいて前記問い合わせデータを絞り込むファセットの表現を生成するファセット用表現選別手段と、
を備えるファセット生成装置として機能させることを特徴とするファセット生成プログラム。
【発明の詳細な説明】
【技術分野】
【０００１】
本発明は、検索の際に利用するファセットの、ファセット生成装置、ファセット生成方法及びファセット生成プログラムに関する。
【背景技術】
【０００２】
製品・サービスに生じた不具合を解決するための対応策や、製品・サービスを使ってユーザがやりたいことを実行するための手順を、ユーザに提供する為の手段としては種々のものが考えられる。この点、このような手段の１つとして、他のユーザがこれまでコールセンターや識者に問い合わせてきた過去の問い合わせデータの集合を対象に検索機能を提供する検索システムが知られている。このようなシステムとしては、例えばヤフー株式会社が提供するＹａｈｏｏ!(登録商標)知恵袋（非特許文献１参照）が例として挙げられる。また、このような検索システムでは、一般的に、クエリを受け付け、受け付けたクエリと合致または類似する過去の問い合わせ事例(以下、「過去事例」と称する)を提示する。なお、クエリの具体的な定義はシステムにより異なるが、キーワード又は自然文をクエリとして扱うことが一般的である。
【０００３】
提示した過去事例に、ユーザが今回調べたい内容と同様の事例が存在する場合、ユーザはこの過去事例の中から、自身の抱える問題状況を表す表現を新たなクエリとして選択する。そして、ユーザは、この新たなクエリを再度検索システムに入力することで、過去事例集合の中から、前記問題状況に関係する過去事例を抽出し、それを元に問題状況を解決できる。
【０００４】
しかし、ユーザは必ずしも抱える問題状況を適切に把握している訳ではない。そのため、この検索に使用するクエリとして適切な文字列を入力できるとは限らない。結果、問題状況を説明するには不十分なクエリを入力してしまい、検索結果が大量に出てくる、或いは、関係性の薄いキーワードを列挙してしまい、検索結果にほとんど事例が含まれない、といった状況に陥ってしまう。そして、この様な状況に陥ってしまうと何度クエリの入力を繰り返したとしても、過去事例に適切な回答があるにも関わらず、見つけることができない、という場合が生じる。
【０００５】
例えば、或る機器の不具合として、この機器の電源が投入できない場合、電源は投入できたが動作しない場合、初期の操作画面にはなるが何らの機能も選択できない場合、所定の機能を用いた場合のみ動作しない場合、等多くの場合が想定される。しかしながら機器に不慣れなユーザであれば単に、「動かない」や「故障」等の絞り込みの為には不十分なクエリを入力してしまうことが想定できる。
【０００６】
このような問題に対し、検索対象の事例、特にユーザが最初に入力したクエリにヒットした検索結果の事例中に現れる表現や、検索結果事例に付与されているメタ情報を元にして、事例を分類するようなファセットを生成し、このファセットをユーザに提示するという技術が知られている。
【０００７】
ここでファセットとは、検索システム側からユーザに提示する検索条件であり、ユーザは提示された複数のファセットの中から、自分の検索要求に適合するファセットを選択することで、検索対象を絞り込むことができる。
【０００８】
ここでファセットは、検索条件として検索対象の絞り込みに使用できるものであれば、どのような表現をとってもよい。ユーザが入力するクエリと同様に１つ以上のキーワードで表現されたもの(例えば「メール」、「電池」等)であってよいし、検索対象のカテゴリーを示す情報（例えば、「暮らしと生活」、「経済とお金」等）であってもよい。更にファセットは、「電池が切れた場合」のように文で表現された、検索対象を限定する検索条件であってもよい。
【０００９】
ユーザは、自分の抱いている検索要求を適切にクエリとして入力できない場合であっても、提示されたファセットの中から、自分の問題状況に適合するファセットを選択していくことで、自分の問題状況に関する事例にナビゲーション的に辿り着くことができる。
【００１０】
こうしたファセットを作成する技術として、検索対象の性質やユーザから寄せられる検索要求を元に、人間が事前に作成するという手法がある。以下、この人間が事前に作成する技術を「第１の関連技術」と称する。
【００１１】
第１の関連技術では、人間が作成することから、ユーザにとって使いやすいファセットを準備することができる。しかし、一方で、作成に人手を要するという問題がある。
【００１２】
こうした人手によるファセット作成の手間を削減する技術として、検索結果中のトピック表現をファセットとして表示するシステムや方法が種々知られている。以下、この検索結果中のトピック表現をファセットとして表示する技術を「第２の関連技術」と称する。第２の関連技術は、例えば、非特許文献２及び非特許文献３に記載されている。
【００１３】
ここで、トピック表現とは検索結果を機械的にクラスタリングした場合に各クラスタを特徴付ける表現である。第２の関連技術は、必ずしもナビゲーション検索のための用途に限定されるものではない。しかし、第２の関連技術により検索対象のクラスタリングを行い、各クラスタから機械的に抽出したトピック表現をファセットとして表示することで、ユーザがファセットを選択して、検索対象を絞り込んでいくナビゲーション検索に第２の関連技術を適用することができる。
【００１４】
また、更に他の技術として、過去の問い合わせデータの回答の部分から、手掛かり表現と、不具合を表す表現との文法的・出現位置的な繋がりを利用して、その問い合わせデータで不具合の原因となっていた事象を示す表現を、抽出し、ファセットとして表示する、という技術が有る。以下、この手掛かり表現と、不具合を表す表現との文法的・出現位置的な繋がりを利用する技術を「第３の関連技術」と称する。第３の関連技術は例えば特許文献１に記載されている。
【先行技術文献】
【特許文献】
【００１５】
【特許文献１】特開平１０−２４０５３６号公報
【特許文献２】特開２００９−３０１１４０号公報
【特許文献３】特開２０１２−２７５９６号公報
【非特許文献】
【００１６】
【非特許文献１】ヤフー株式会社、Ｙａｈｏｏ!(登録商標)知恵袋、［online］、［平成２４年３月２７日検索］、インターネット〈URL：http:////chiebukuro.yahoo.co.jp/〉
【非特許文献２】Sherry Koshman et al, "Using clusters on the Vivisimo Web search engine", HCI International Conference, 2005 Science and Technology, 2005,Sherry Koshman et al, "Web searching on the Vivisimo search engine", Journal of the American Society for Information Sherry Koshman et al, "Using clusters on the Vivisimo Web search engine", HCI International Conference, 2005 Science and Technology, 2005［online］［平成２４年３月２７日検索］、インターネット〈Ｃｌｕｓｔｙ（http://clusty.com〉２０１２年３月現在はｙｉｐｐｙというサービス名に変更。
【非特許文献３】David Blei et al, "Latent Dirichlet Allocation", The Journal of Machine Learning, 2003
【発明の概要】
【発明が解決しようとする課題】
【００１７】
上述したように第２の関連技術又は第３の関連技術を利用することにより、ファセットの作成に人手を要するという第１の関連技術が抱えていた問題を解決することができる。しかしながら、第２の関連技術及び第３の関連技術に関しても下述するような問題が有った。
【００１８】
上述したように、第２の関連技術では、ユーザの検索ナビゲーションを行うために、検索結果のトピック表現をファセットとして提示することができる。そして、ユーザが提示されたトピック表現の中から自分の問題に関係するものを選択することで、ユーザは、自分だけで適切なクエリを入力できない場合でも、検索結果を絞り込むことが可能となる。
【００１９】
しかしながら、第２の関連技術で利用するトピック表現は検索結果をクラスタリングした場合に各クラスタを特徴付ける表現であり、ファセットの提示を目的とした表現であるとは限らない、そのため、第２の関連技術では、必ずしも、ユーザの問題状況の原因を示す表現など、過去事例の絞り込みに有効な表現が抽出されるわけではない。
【００２０】
従って、ユーザにとっては、各ファセットを選択した場合に提示される事例がどのような観点でまとめられているのか、理解できないようなファセットが提示される場合も多い。そして、そうした場合には、ユーザはどのファセットを選択すれば自分の問題状況を解決するために適切な過去事例が得られるのか、分からないという課題が生じる。
【００２１】
また、第３の関連技術でユーザにファセットとして提示される、過去の問い合わせデータの回答中の原因表現には、問い合わせを行っている製品・サービスの内部動作を表す表現や専門知識がないと理解できない表現が含まれている。そしてこれらの表現がファセットとして表示されてもユーザが理解できず、適切なファセットをユーザが選択できないという課題があった。
【００２２】
この課題について具体的な過去事例に基づいて説明する。具体例として図２に表される示す過去事例が存在したとする。
【００２３】
この過去事例に対して第３の関連技術を用いた場合、回答中の原因を示す手掛かり表現「〜から」が着目され、ファセット（またはその候補）として「バッテリーの劣化」が抽出、提示される。しかしながら、「バッテリーの劣化」は内部動作であるため、ユーザには直接「バッテリーの劣化」という症状に自身の不具合が相当するのか、確認する手段がなかった。そのため、「バッテリーの劣化」というファセットで絞り込んで良いのか否かがユーザには判断できず、結果として提示されたファセットを利用しがたかった。
【００２４】
本発明は上述の第２の関連技術及び第３の関連技術の課題を解消するためになされたものであり、ユーザが自分の問題状況に適合する過去の問い合わせデータの事例に辿り着くことができるよう、ユーザが自分の問題状況ややりたいことに関係する事例なのかどうかを判断可能なファセットを生成する、検索ナビゲーション用ファセット生成装置、検索ナビゲーション用ファセット生成方法及びそのプログラムを提供することを目的とする。
【課題を解決するための手段】
【００２５】
本発明の第１の観点によれば、少なくとも質問を含んだデータである問い合わせデータから、該問い合わせデータに関連する用語と、該問い合わせデータに含まれている質問の意図を表す表現と、を組にして抽出する問い合わせデータ特徴抽出手段と、前記用語に対応した機能を説明する文書データから、用語と、該用語に対応した機能を示す表現と、を組にして抽出する用語別機能表現抽出手段と、前記データ特徴表現抽出手段の抽出結果と、前記用語別機能表現抽出手段の抽出結果とのそれぞれに含まれている前記用語が一致するもの同士で、前記質問の意図を表す表現と前記各用語に対応する機能を示す表現のマッチングを行う問い合わせデータ・機能表現マッチング手段と、前記問い合わせデータ・機能表現マッチング手段によるマッチング結果に基づいて選別した前記機能を示す表現に基づいて前記問い合わせデータを絞り込むファセットの表現を生成するファセット用表現選別手段と、を備えることを特徴とするファセット生成装置が提供される。
【００２６】
本発明の第２の観点によれば、問い合わせデータ特徴表現抽出手段と、用語別機能表現抽出手段と、問い合わせデータ・機能表現マッチング手段と、ファセット用表現選別手段とを備えるファセット生成装置がソフトウェアによる情報処理により行うファセット生成方法であって、前記問い合わせデータ特徴表現抽出手段が、少なくとも質問を含んだデータである問い合わせデータから、該問い合わせデータに関連する用語と、該問い合わせデータに含まれている質問の意図を表す表現と、を組にして抽出する問い合わせデータ特徴表現抽出ステップと、前記用語別機能表現抽出手段が、前記用語に対応した機能を説明する文書データから、用語と、該用語の機能を示す表現と、を組にして抽出する用語別機能表現抽出ステップと、前記問い合わせデータ・機能表現マッチング手段が、前記データ特徴表現抽出ステップの抽出結果と、前記用語別機能表現抽出ステップの抽出結果とのそれぞれに含まれている前記用語が一致するもの同士で、前記質問の意図を表す表現と前記各用語の機能を示す表現のマッチングを行う問い合わせデータ・機能表現マッチングステップと、前記ファセット用表現選別手段が、前記問い合わせデータ・機能表現マッチングステップによるマッチング結果に基づいて選別した前記機能を示す表現に基づいて前記問い合わせデータを絞り込むファセットの表現を生成するファセット用表現選別ステップと、を含むことを特徴とするファセット生成方法が提供される。
【００２７】
本発明の第３の観点によれば、コンピュータをファセット生成装置として機能させるファセット生成プログラムであって、前記コンピュータを、少なくとも質問を含んだデータである問い合わせデータから、該問い合わせデータに関連する用語と、該問い合わせデータに含まれている質問の意図を表す表現と、を組にして抽出する問い合わせデータ特徴表現抽出手段と、前記用語に対応した機能を説明する文書データから、用語と、該用語の機能を示す表現と、を組にして抽出する用語別機能表現抽出手段と、前記データ特徴表現抽出手段の抽出結果と、前記用語別機能表現抽出手段の抽出結果とのそれぞれに含まれている前記用語が一致するもの同士で、前記質問の意図を表す表現と前記各用語の機能を示す表現のマッチングを行う問い合わせデータ・機能表現マッチング手段と、前記問い合わせデータ・機能表現マッチング手段によるマッチング結果に基づいて選別した前記機能を示す表現に基づいて前記問い合わせデータを絞り込むファセットの表現を生成するファセット用表現選別手段と、を備えるファセット生成装置として機能させることを特徴とするファセット生成プログラムが提供される。
【発明の効果】
【００２８】
本発明によれば、ユーザが自分の問題状況に適合する過去の問い合わせデータの事例に辿り着くことができるよう、ユーザが自分の問題状況ややりたいことに関係する事例なのかどうかを判断可能なファセットを生成することが可能となる。
【図面の簡単な説明】
【００２９】
【図１】本発明の実施形態の基本的構成を表すブロック図である。
【図２】本発明の実施形態における問い合わせデータの一例を表す図である。
【図３】本発明の実施形態における用語別機能表現の一例を表す図である。
【図４】本発明の実施形態における用語別機能表現の一例を表す図である。
【図５】本発明の実施形態における問い合わせデータから抽出する特徴の一例を表す図である。
【図６】本発明の実施形態における問い合わせデータ・機能表現マッチング部が取り得る構成を表すブロック図である。
【図７】本発明の実施形態の基本的動作を表すフローチャートである。
【発明を実施するための形態】
【００３０】
次に、本発明の実施形態について図面を用いて詳細に説明する。
【００３１】
本発明の実施の形態について説明するに先だって、まず、説明で使用する語句の定義を行う。
【００３２】
本実施形態において、「問い合わせデータ」とは、会員等の特定のユーザ、又は限定の無い不特定のユーザが、これまでコールセンターや識者等に対して行った問い合わせ内容を記録したデータである。今回の説明では問い合わせデータはテキストデータにより実現される。
【００３３】
例えば、或る携帯電話機の画面に何も表示されなくなったとき、その携帯電話機のユーザが、その携帯電話機のメーカのコールセンターに、どう対処すればよいのか質問し、コールセンターのオペレータが対処法を返答した、という場合を想定する。この場合は、ユーザによる質問と、オペレータによる返答の内容をテキストとして記録したデータが、１つの問い合わせデータとなる。
【００３４】
また、Ｗｅｂ上の質問・回答サイトなどで、不特定の誰かが質問し、別の誰かがその質問に対する回答を投稿したデータも、問い合わせデータの１つである。例えば、図２に表されるテキストの様な内容がＷｅｂ上の質問・回答サイト等でやり取りされたものとする。この場合、図２に表されるテキストが、問い合わせデータとなる。
【００３５】
このように、問い合わせデータには、問い合わせを行った人物が経験した不具合、やりたいこと、困っていること、などの問い合わせを行った人物が知りたい・解決したい内容の記述が含まれている必要がある。以後、本明細書ではこの問い合わせを行った人物が知りたい・解決したい内容の記述を、問い合わせデータの「質問」部分と称する。
【００３６】
一方で、その問い合わせの質問に対する対処法などの回答（以下、問い合わせデータの「回答」部分と称する。）が、問い合わせデータに必ずしも含まれている必要はない。つまり、問い合わせデータには、質問部分と回答部分の組合せが含まれていても良いが、質問部分が含まれ、且つ、回答部分が含まれていなくても良い。
【００３７】
そして、本実施形態では、回答が含まれていない問い合わせデータであったとしても、回答が含まれている問い合わせデータであったとしても、両者とも同じように取り扱う。
【００３８】
ただし、過去の問い合わせデータを検索して、ユーザが自分の問題解決に利用するという観点からすると、回答部分を含まない問い合わせデータは、有用性が低い。そこで、以下の説明では、質問部分とその回答部分の両方が含まれている問い合わせデータを主に扱う。
【００３９】
また、上記では、質問者と回答者が別個に存在する例を問い合わせデータの具体例として挙げた。しかしながら、質問部分と回答部分に相当する内容を一人のユーザが記述することもあり得る。例えば、ブログ（Weblog）上などで１人のユーザが「掃除機ＸＸの紙パックが詰まって、取れなくなって困ったのだけど、強制排除ボタンを押したらとることができた。」のように、問い合わせの質問部分と回答部分をまとめて書いている記述も、問い合わせデータに含めるものとする。
【００４０】
更に、問い合わせデータの中で各問い合わせの対象となっている、製品、サービス、技術、手法及び制度等を、本実施形態では「用語」と称する。
【００４１】
問い合わせの質問部分には、或る特定の用語に関して、問い合わせを発した人物が、知りたいこと、やりたいこと、何らかの不具合を解決したいことがあるときに、その知りたいこと、やりたいこと及び何らかの不具合を解決したいこと、等が記述されているものである。
【００４２】
例えば、「携帯電話機の電源が入らなくなりました」という問い合わせがあったとき、「携帯電話機」がこの問い合わせの対象となっている用語である。また、「Ａ社の掃除機Ｘが、異音を発するようになりました。どうすれば治るでしょうか？」という問い合わせでは、「掃除機」、「掃除機Ｘ」或いは「Ａ社の掃除機Ｘ」が用語となる。
【００４３】
用語として、問い合わせ対象のどこまでを指すかは、本発明を実施する際の用途や目的に応じて事前に定めておく。また、可能性がある表現を全て、その問い合わせの用語として扱っても良い。例えば、掃除機の別表現として「クリーナー」も問い合わせの用語とするようにしても良い。また、「サイクロン式」、「紙パック式」等の表現も用語としても良く、「サイクロン式掃除機」や「紙パック式掃除機」のような複数単語の組合せを用語として扱うようにしても良い。更に、一般的に用いられている略称を用語として扱うようにしてもよい、例えばスマートフォンが「スマホ」と呼ばれているという背景があるならばスマホを用語として扱うようにしても良い。
【００４４】
次に、発明を実施するための形態について図面と例を参照して詳細に説明する。
【００４５】
図１を参照すると、本発明の実施の形態であるファセット生成装置１００は、検索条件入力部１０と、問い合わせデータ検索部２０と、問い合わせデータ集合記録部３０と、マニュアル・カタログ・解説データベース４０と、用語別機能表現抽出部５０と、問い合わせデータ特徴抽出部６０と、問い合わせデータ・機能表現マッチング部７０と、ファセット用表現選別部８０と、検索ナビゲーション用ファセット出力部９０とを含む。
【００４６】
ファセット生成装置１００は、例えばコールセンターに寄せられた問い合わせ事例や、ＱＡサイトに蓄積された質問・回答事例などの、過去の問い合わせデータを閲覧するユーザに対し、検索ナビゲーション用のファセットを生成し、提示する装置である。特に、問い合わせデータに関連する用語（製品、サービス及び技術名等）がもつ機能の説明表現をリソースとして利用し、利用者にとって理解のしやすいファセット表現を生成し、提示する。
【００４７】
検索条件入力部１０は、ユーザの検索条件を受け付ける機能を含む。
【００４８】
また、問い合わせデータ検索部２０は、問い合わせデータ集合記録部３０に蓄積されている問い合わせデータの中からユーザが入力した検索条件に適合する問い合わせデータを検索する機能を含む。
【００４９】
更に、問い合わせデータ集合記録部３０は、検索対象とする問い合わせデータを、検索可能な形式で記録する機能を含む。
【００５０】
更に、マニュアル・カタログ・解説データベース４０は、問い合わせの対象となる用語に関するマニュアル、カタログ及び解説等の説明文書を記録する機能を含む。
【００５１】
更に、用語別機能表現抽出部５０は、マニュアル・カタログ・解説データベース４０に記録されている用語の説明文書から用語毎に機能表現を抽出する機能を含む。
【００５２】
更に、問い合わせデータ特徴抽出部６０は、問い合わせデータの特徴を抽出する機能を含む。
【００５３】
更に、問い合わせデータ・機能表現マッチング部７０は、問い合わせデータの特徴と用語別機能表現を基にして、問い合わせに対応する機能表現を判定する機能を含む。
【００５４】
更に、ファセット用表現選別部８０は、問い合わせデータ・機能表現マッチング部７０で判定された機能表現からファセットとして出力する表現を選別する機能を含む。
【００５５】
更に、検索ナビゲーション用ファセット出力部９０は、ファセット用表現選別部８０で選別されたファセットを出力する機能を含む。
【００５６】
ここで、ファセット生成装置１００は、専用の装置により実現しても良いが、パーソナルコンピュータ等の汎用の装置にて実現するようにしても良い。また、ファセット生成装置１００は、単一の装置により実現しても良いが、相互に接続された複数の装置により実現されても良い。更に、この接続は有線によるものであっても良いが、一部又は全部が無線であっても良く、接続途中に任意のネットワークを介していてもよい。
【００５７】
何れの場合であっても、コンピュータに含まれる演算処理装置が、本実施形態特有のプログラムに従った演算処理を行うことによりハードウェアを制御することにより図１に表される各部が実現される。
【００５８】
続いて、各部の機能に関してより詳細に説明をする。
【００５９】
検索条件入力部１０は、ユーザが問い合わせデータ集合記録部３０に記録されている問い合わせデータを検索する際に、検索したい問い合わせデータの検索条件を入力として受け付ける部分である。
【００６０】
検索条件入力部１０は、キーボード装置、音声入力受付装置及びネットワークに繋がった入力装置等、検索条件を受け付け可能な機器であれば、任意の機器により実現することができる。また、検索条件入力部１０及び後述する検索ナビゲーション用ファセット出力部９０を一体とし、タッチパネルによって検索条件入力部１０及び検索ナビゲーション用ファセット出力部９０の双方を実現するようにしても良い。
【００６１】
次に、検索条件について具体例を挙げて説明する。例えば、或るユーザが、「或る１つのメールアカウント宛てに届いたメールを、スマートフォンでもパソコンでも同じように読みたい」という要求を持っていたとする。そして、この或るユーザが、「携帯パソコンメール」のような３つのキーワードからなるクエリを入力したとする。この「携帯パソコンメール」というクエリが検索条件の例(以下、「検索条件例１」と称する)である。
【００６２】
検索条件入力部１０が受け付ける検索条件としては、他にも、検索対象の作成時期に対する制約条件など、一般のデータ検索装置に対して入力される検索条件であれば良く、検索条件はクエリに限定されない。例えば、直近の問い合わせを検索したいユーザから、「検索対象が作成された時期が近いものから、作成された時期が遠いものの順に降順で検索する」といった条件を受け付けるようにしても良い。また、例えば「直近の３０日間に作成された問い合わせデータのみを検索したい。」といった条件を受け付けるようにしても良い。
【００６３】
問い合わせデータ検索部２０は、検索条件入力部１０が受け付けた検索条件に適合する問い合わせデータを、問い合わせデータ集合記録部３０から検索する部分である。問い合わせデータ検索部２０は、検索実行後、検索により抽出された問い合わせデータを問い合わせデータ特徴抽出部６０に渡す。
【００６４】
問い合わせデータ検索部２０は、例えば、検索条件例１のクエリから、クエリに含まれる３つのキーワード（携帯パソコンメール）を含む問い合わせデータを、問い合わせデータ集合記録部３０に記録されている問い合わせデータの中から検索する。そして、問い合わせデータ検索部２０は、検索により抽出された問い合わせデータ特徴抽出部６０に渡す。
【００６５】
なお、このようにクエリに複数のキーワードが含まれている場合に、この複数のキーワード全てを含む問い合わせデータをのみを抽出する方法や、この複数のキーワードの何れかを含む問い合わせデータ全てを抽出する方法が考えられるが実装環境に応じて任意の方法を用いるようにすればよい。
【００６６】
問い合わせデータ集合記録部３０は、問い合わせデータ検索部２０による検索において検索対象となる問い合わせデータを、検索可能な形式で蓄積・記録する部分である。
【００６７】
また、マニュアル・カタログ・解説データベース４０は、問い合わせデータ集合記録部３０に記録されている問い合わせの対象となる用語のマニュアル、カタログ、解説など、用語の機能やスペック等を説明する文書を記録するデータベースである。
【００６８】
なお、問い合わせデータ集合記録部３０及びマニュアル・カタログ・解説データベース４０は、物理的及び論理的に任意の方法により実現できる。
【００６９】
例えば、問い合わせデータ集合記録部３０及びマニュアル・カタログ・解説データベース４０は、ファセット生成装置１００に含まれる記憶装置がデータを記録することによって実現されても良い。また、問い合わせデータ集合記録部３０及びマニュアル・カタログ・解説データベース４０は、外部のデータベースに、インターネットなどを介してアクセスすることにより実現されても良い。
【００７０】
更に、問い合わせデータ集合記録部３０及びマニュアル・カタログ・解説データベース４０は、単一の記憶装置内により実現されていても良いが複数の記憶装置に分散して実現されても良い。
【００７１】
但し、今回の説明では、マニュアル・カタログ・解説データベース４０に記録されている各説明文書は、何の用語に対する説明文書なのか、機械的に読み取り可能な形式で事前にタグ付けされているものとする。つまり、各説明文書は予め対応する用語と紐付けされている。
【００７２】
また、問い合わせデータ集合記録部３０内の問い合わせデータに含まれている用語のうちの一部の用語に関する説明文書が、マニュアル・カタログ・解説データベース４０に記録されていなくても良い。
【００７３】
また、逆に、問い合わせデータ集合記録部３０に記録されている問い合わせデータの用語には含まれず、他の用語に関する説明文書がマニュアル・カタログ・解説データベース４０に記録されている説明文書に一部含まれていても良い。
【００７４】
例えば、問い合わせデータ集合記録部３０の問い合わせ対象となっている用語ではなくとも、問い合わせ対象となっている用語と同じ分野の用語や、問い合わせ対象となっている用語とよく共起する用語の説明文書がマニュアル・カタログ・解説データベース４０に記録されていても良い。
【００７５】
上記をまとめると、問い合わせデータ集合記録部３０内の用語と、マニュアル・カタログ・解説データベース４０内の説明文章は、一対一の関係で紐付けられても良いし、一対多の関係で紐付けられても良いし、多対多の関係で紐付けられても良いし、紐付けが為されていなくとも良い、こととなる。
【００７６】
具体的な例を用いて説明する。例えば、問い合わせデータ集合記録部３０に、Ｗｅｂ上の質問・回答サイトの携帯電話機カテゴリーに出された問い合わせが記録されていることを想定する。この場合は、メジャーな携帯電話機の製品マニュアルやカタログ、更には、携帯電話機に関する技術名、サービス名などに関して、Ｗｅｂ上に公開された解説記事等が、事前に収集され、マニュアル・カタログ・解説データベース４０に記録される。
【００７７】
また、各説明文書に紐付けられている用語は、例えば、説明文書が説明している製品の製品名や型番である。例えば製品名が「foo-01」のスマートフォンが存在する場合に、説明文書と「foo-01」が紐付けられていても良い。
【００７８】
更には、製品名だけでなく、説明文書中の各説明記述が対象としている技術名や機能名等が、説明記述と紐付けられていても良い。例えば、「通話」、「メール」、「３Ｇ」、「テザリング」と説明文書とが紐付けられていても良い。
【００７９】
加えて、特定の用語の一般名称が、説明記述と紐付けられていても良い。例えば、製品名が「foo-01」のスマートフォンが存在する場合に、「foo-01」に関する説明文書と、「スマートフォン」や「携帯電話機」とが紐付けられていても良い。
【００８０】
なお、上述したように、１つの説明文書、又は１つの説明文書内の１つの説明記述、と紐付けられている用語は必ずしも１つである必要はなく、複数の用語が紐付けられていても良い。
【００８１】
用語別機能表現抽出部５０は、マニュアル・カタログ・解説データベース４０に記録されている説明文書から、各説明文書に紐付けされている用語毎に、用語の機能や性能、利用者に提供するサービス内容を説明している記述を、用語別機能表現として抽出する手段である。
【００８２】
図３に表される用語別機能表現の例１を参照して、用語別機能表現について説明する。
【００８３】
例えば、製品名が「foo-01」のスマートフォンが存在したとする。図３には、そのfoo-01の製品マニュアルから抽出した用語別機能表現の例が表されている。
【００８４】
また図４には、マニュアル・カタログ・解説データベース４０に、電子メール交換に関する技術用語「ＩＭＡＰ（Internet Message Access Protocol）」に関して解説している説明文書が記録されていた場合に、この説明文章から抽出した用語別機能表現の例が表されている。
【００８５】
今回の説明では、各機能表現に対応する用語としてfoo-01やＩＭＡＰを用いているが、これは単なる一例に過ぎない。本実施形態では、各説明文書、又は１つの説明文書内の１つの説明記述に、特定の用語が紐付けされていれば、機能表現を抽出した説明記述と、そこに紐付けされている１つ以上の用語とを対応付けて、用語別機能表現とすることができる。
【００８６】
こうした機能別用語表現の抽出は、テキストの形態素解析技術、テキストセグメンテーション、構文解析技術、照応解析技術、パターンマッチング技術などの、一般的な自然言語処理技術を１つ以上用いることで実行できる。これらの技術の一例として、テキストの形態素解析技術やテキストセグメンテーションに関しては例えば特許文献２に記載が有る。
【００８７】
続いて、機能表現の抽出について更に詳細に説明する。図３及び図４の例では、マニュアル・カタログ・解説データベース４０に記録されている説明文書の各テキストを、テキストセグメンテーション技術を用いて１文毎に区切る。そして、区切った後に、「できます」などの可能表現や、「機能があります」などの機能や提供サービス、スペックに関する表現を含んでいる文をパターンマッチング技術を用いて、機能表現として抽出する。本実施形態では、このようにして図３及び図４の例における機能表現を抽出する。なお、パターンマッチング技術で用いるパターンルールは、前述のような可能表現、機能、提供サービス、スペックに関する手がかり表現を抽出するパターンが、事前にルール化され準備されているものとする。また、機械学習技術を用いて、各説明文書中の各記述を機能表現であるか、そうでないか判定する手法を用いても良い。
【００８８】
さらに、各用語別機能表現が、どの説明文書のどの説明記述から抽出したものかを明確とする為に、抽出元（ソース）となる説明文書がどの説明文章であるのか、又はどの説明文書の中のどの位置であるのか、という情報を更に加えても良い。
【００８９】
問い合わせデータ特徴抽出部６０は、問い合わせデータ検索部２０で検索された問い合わせデータを受け付け、受け付けた各問い合わせデータから、質問部分とその質問の対象となっている用語や関連する用語を、問い合わせデータの特徴として抽出する。
【００９０】
一般に問い合わせデータの質問部分には、問い合わせを行った人物が経験した不具合、やりたいこと、困っていること、などの問い合わせを行った人物が知りたい・解決したい内容等を端的に表現している記述箇所(以下、このような記述を「質問の中心記述」と称する。)が含まれる。また、問い合わせデータの質問部分には、質問の中心記述の他に、質問の背景や、問い合わせを行った人物の感想・意見、既に実行してみたこと、などの質問の中心記述を補足する記述が含まれている場合がある。
【００９１】
例えば、図２の問い合わせデータを例にとってみると、最初の「質問」部分のテキストのうち、「ケータイが充電をMAXまでしても3分以内に確実に「電池がありません」と表示されて電源が切れてしまい大変困っています」が、質問の中心記述となる。
【００９２】
問い合わせデータ特徴抽出部６０において、各問い合わせデータから抽出する特徴としては、各問い合わせデータに含まれる質問の中心記述がある。もっとも、質問の中心記述以外の質問部分の記述を、その問い合わせデータの特徴として抽出しても良い。
【００９３】
例えば、使用する抽出技術の性能では完全に中心記述のみを抽出できない場合に質問の中心記述以外の質問部分の記述を、その問い合わせデータの特徴として抽出しても良い。更に、後述する問い合わせデータ・機能表現マッチング部７０で行うマッチングの際の補足情報として使用する目的で、問い合わせデータに含まれる質問の中心記述以外の質問部分の記述を、その問い合わせデータの特徴として抽出しても良い。
【００９４】
なお、これら抽出した記述は、本発明の「質問の意図を表す表現」に相当する。
【００９５】
問い合わせデータから、質問の中心記述等を抽出する手法としては、特許文献１に記載されている、不具合表現を抽出する技術等の一般的な自然言語処理技術を使用すればよい。
【００９６】
例えば、問い合わせデータの中から、「困っています」「故障しました」「分かりません」「うまくいきません」のような不具合・不都合を表す表現や、「〜したい」「〜を教えて欲しい」のような発言者の要望を表す表現を手がかり表現とする。そして、この手がかり表現に係る文を質問の中心記述として抽出すればよい。また、機械学習技術などのテキストの分類技術を用いて、質問の中心記述を判定、抽出しても良い。
【００９７】
また、問い合わせデータ特徴抽出部６０は問い合わせデータから質問部分を特徴として抽出するだけでなく、問い合わせデータからその問い合わせに関する用語も特徴として抽出する。
【００９８】
用語は、質問の中心記述で、質問の対象となっている語句を抽出することで取得できる。この抽出には、構文解析技術や、係り受け解析技術、文のトピック抽出技術、重要語句抽出技術などの一般的な自然言語処理技術を使用することができる。これらの技術の一例が、例えば特許文献２に記載されている。
【００９９】
なお、質問の中心記述において、質問の対象となっている語句を厳密に求めるのではなく、質問部分或いは、問い合わせデータに含まれている語句から、出現頻度、出現位置などを基準に、質問の対象となりうる用語或いは関連する用語を推測して複数語句を、その問い合わせデータの特徴として抽出しても良い。または、問い合わせデータに付与されている問い合わせカテゴリーなどのメタ情報を用いても良い。更に、問い合わせデータの分野における用語辞書を事前に準備しておき、その用語辞書と各問い合わせデータに含まれている語句との一致度や類似度から、特徴として抽出する用語を定めても良い。
【０１００】
加えて、各問い合わせデータから特徴として抽出される質問部分や用語を、１つと限定することなく、複数抽出しても良い。
【０１０１】
図５を参照すると、問い合わせデータ特徴抽出部６０が問い合わせデータから抽出した特徴の例が表されている。
【０１０２】
図５の例では、各行が問い合わせデータから抽出した特徴を示している。続いて、各行の各項目について説明する。
【０１０３】
「特徴ID」は、問い合わせデータから抽出した特徴を便宜上区別するためのIDである。また「抽出元の問い合わせデータID」は、各行の特徴がどの問い合わせデータから抽出した物なのかを対応付けるための情報である。この例では特徴ID1が割り当てられた特徴と特徴ID2が割り当てられた特徴は、同じ問い合わせデータQ１から抽出したものになっている。
【０１０４】
「質問の中心記述」は各問い合わせデータから、不具合表現や要望表現を抽出したものになっている。
【０１０５】
また「用語」は、各「質問の中心記述」において問い合わせの対象となっていると推定される用語を示している。これらの用語は原則として質問の中心記述に含まれている語句であり、別途携帯電話機分野用に用意している用語辞書に含まれているものを選別したものになっている。
【０１０６】
もっとも、質問の中心記述に含まれていない語句を用語として選別することも可能である、例えば、特徴ID5や特徴ID7の質問の中心記述には、用語が含まれていない。しかし、特徴ID5や特徴ID7の抽出元となった問い合わせデータである問い合わせデータQ４及び問い合わせデータQ６に付与されているカテゴリーや、質問の中心記述周辺のテキストから用語を判定して特徴として抽出したことを想定して例に含ませている。また、特徴ID8の用語は「スマートフォン」となっており、質問の中心記述に含まれる語句「スマホ」とは表記が異なるが、これは自然言語処理技術の同義語処理技術を用いて、用語を正規化したことを想定して例に含ませている。なお、このように略語を正規化するようにしてもよいが、対象とする単語によっては略語そのものを用語として用いるようにしても良い。
【０１０７】
なお、本発明の実施の形態では、問い合わせデータ検索部２０が検索した問い合わせデータを処理対象として、特徴を抽出する際の説明を行った。もっとも、処理対象とする問い合わせデータは、ファセットを出力したい問い合わせデータでさえあれば良く、その取得経路に制限はない。つまり、任意の技術を用いて別途取得された問い合わせデータを処理対象とし、問い合わせデータ特徴抽出部６０がこの処理対象を直接受け付け、その後の処理を行っても良い。すなわち、図１に表される、検索条件入力部１０、問い合わせデータ検索部２０及び問い合わせデータ集合記録部３０を他の装置に置き換えるようにしても良い。
【０１０８】
問い合わせデータ・機能表現マッチング部７０は、問い合わせデータ特徴抽出部６０で抽出した各問い合わせデータの特徴を用いて、用語別機能表現抽出部５０で抽出された用語別機能表現とのマッチングをとる手段である。マッチングの結果、問い合わせデータと用語別機能表現との多対多の対応付けがなされる。
【０１０９】
マッチングでは、問い合わせデータ特徴抽出部６０で抽出した特徴毎に、まず各特徴の用語を読み出し、用語別機能表現抽出部５０で抽出された用語別機能表現のうち、用語が一致するもの同士で、問い合わせデータ特徴の質問の中心記述(或いは質問内容)と、機能表現とのテキストマッチングを行う。
【０１１０】
例えば図５の特徴ID1が割り当てられた特徴は、用語が「スマートフォン」または「foo-01」である。そのため、用語別機能表現抽出部５０で抽出された用語別機能表現のうち、用語「スマートフォン」の機能表現、又は、用語「foo-01」の機能表現と、特徴ID1の質問の中心記述である「このスマートフォンfoo-01使えない」とのテキストマッチングを行う。
【０１１１】
テキストマッチングは、自然言語処理技術の一般的技術である同義文判定技術や類似文判定技術を用いて行い、同義または類似と判定された場合、マッチングしているものとする。なお、同義文判定技術や類似文判定技術は例えば特許文献３に記載されている。
【０１１２】
ただし、問い合わせデータ特徴の質問の中心記述(或いは質問内容)は、問い合わせであるため「〜できない」「〜のやり方を教えてください」のような不具合や問い合わせ者のやりたいことを記述している表現が含まれている。一方、用語別機能表現抽出部５０で抽出された用語別機能表現は、「〜できる」「〜をする機能を持つ」「〜のようにします」のような機能、スペック及び解決方法等を表す表現が含まれる。
【０１１３】
よって、単に、質問の中心記述(或いは質問内容)と用語別機能表現とをテキストマッチングしただけでは適切な判定が行えないことが想定される。そのため本実施形態では、質問の中心記述(或いは質問内容)か、機能表現のどちらか一方を他方の表現に置き換えた上でマッチングを行うものとする。例えば、図５の特徴ID2では、「foo-01の設定がまったく分からない」を、「foo-01の設定を行う」または「foo-01の設定機能」のように置き換えた上で、テキストマッチングを行う。
【０１１４】
この置き換えは、否定の可能表現を肯定の可能表現にする、要望表現をそれを行う機能表現にするなど、事前に構文置き換えルールを用意しておき、それに従って実行する。
【０１１５】
また、このテキストマッチングでは、問い合わせデータ内の質問の中心記述だけをマッチングに利用するのではなく、元の問い合わせデータの質問部分のテキストや、元の問い合わせデータのテキスト全体を、用語別機能表現とのマッチングに利用してもよい。
【０１１６】
例えば、質問の中心記述自体には含まれていないが、その近傍に出現する特徴的な語句に基づいて、機能表現とのマッチングをとってもよい。
【０１１７】
同様に、用語別機能表現抽出部５０によって、用語別機能表現が抽出された際に、どの説明文書から抽出したものなのかソース情報も記録されている場合は、ソースとなっている説明文書に出現するテキストも、問い合わせデータ特徴とのマッチングに利用しても良い。実際にどのような範囲のテキスト同士をマッチングに利用するかは、本実施形態を利用する用途や目的、要求性能に応じて事前に定めておく。
【０１１８】
例えば図５の問い合わせデータ特徴では、特徴ID5が割り当てられた特徴、特徴ID6が割り当てられた特徴、及び特徴ID7が割り当てられた特徴が、図３の１行目の機能表現「起動中のアプリケーションを切り替えることができます」にマッチングするものとする。この例では、テキストマッチングに使用する同義判定技術において、「アプリ」や「ソフト」という語句が「アプリケーション」の同義語として判定されたものとする。
【０１１９】
また、図３の１行目の機能表現「起動中のアプリケーションを切り替えることができます」の抽出元の説明文書において、この機能表現が含まれている章に、「タスク管理」、「メーラー」「他のアプリケーションとの同時使用」「メール中に電話番号調べるなどの場合に、この操作を実行します」といったテキストが特徴的に含まれており、これらのテキストもテキストマッチングで類似度判定を行う際に、判定に用いられた、という想定とする。
【０１２０】
次に、図６を参照して問い合わせデータ・機能表現マッチング部７０の構成について説明する。図６を参照すると問い合わせデータ・機能表現マッチング部７０は、関連用語拡張部７１及び関連用語拡張部７２を含む。なお、図６では用語間関係に基づく関連用語拡張部７１及び機能表現に基づく関連用語拡張部７２の双方を図示しているが、用語間関係に基づく関連用語拡張部７１及び機能表現に基づく関連用語拡張部７２の双方が必須になる訳では無い。問い合わせデータ・機能表現マッチング部７０に、用語間関係に基づく関連用語拡張部７１及び機能表現に基づく関連用語拡張部７２のうちの何れか一方が含まれていなくてもよい。
【０１２１】
用語間関係に基づく関連用語拡張部７１、及び、機能表現に基づく関連用語拡張部７２は、どちらも用語の拡張を行う部分である点で共通している。もっとも、用語間関係に基づく関連用語拡張部７１と機能表現に基づく関連用語拡張部７２とでは拡張の手法が異なる。前述した問い合わせデータ・機能表現マッチング部７０の説明では、問い合わせデータの特徴の用語と、用語別機能表現の用語とが文言上一致した場合に、テキストマッチングを行うという手段を説明した。しかし、用語が文言上一致しない場合であっても、問い合わせデータと用語別機能表現を対応させて問題ない場合がある。このような場合に対応する為に用語間関係に基づく関連用語拡張部７１と機能表現に基づく関連用語拡張部７２とが、用語の拡張を行う。
【０１２２】
まず、用語間関係に基づく関連用語拡張部７１による用語の拡張について説明する。
【０１２３】
用語が文言上一致しない場合であっても、問い合わせデータと用語別機能表現を対応させて問題ない場合の１つは、用語同士が、一方が上位語になり、他方がこの上位語に内包される下位語、になる場合である。例えば、携帯型番「foo-01」に対して、「スマートフォン」や「携帯電話機」など、元の用語を一般的にした上位語と対応させても問題ない場合が考えられる。ある問い合わせで「携帯電話機」に関して質問していたとしても、その質問に対応するような機能が特定の携帯電話機foo-01の説明書に記述されている場合がある。逆に、特定の携帯電話機foo-01に関する質問に関係する機能が、スマートフォン全般の解説書に記述されている場合も考えられる。
【０１２４】
また、この例の場合、スマートフォンが携帯電話機に含まれると考えても問題無い場合も考えられる。この場合、上述のように「foo-01」に対して、「スマートフォン」や「携帯電話機」など、元の用語を一般的にした上位語と対応させたこととはまた別に、下位語をスマートフォン、上位語は携帯電話機、として対応させるようにしても良い。
【０１２５】
また、用語が文言上一致しない場合であっても、問い合わせデータと用語別機能表現を対応させて問題ないもう一つの場合は、「携帯電話機」と「IMAP」などのように、複数の用語が組合せで使用される場合である。この様な場合を考慮して、例えば、「携帯電話機」と「IMAP」のように、よく共起する用語の機能表現を対応させるようにしても良い。そして、一方の用語に関する問い合わせに対し、この一方の用語と対応する他方の用語についてもマッチングを調べても良い。
【０１２６】
このような考え方から、用語間関係に基づく関連用語拡張部７１では、別途用意する用語間の上位下位関係辞書、或いは統計的な共起関係辞書などを用いて、問い合わせデータ特徴の用語、或いは、用語別機能表現の用語のどちらか一方の用語を拡張する。拡張の結果、問い合わせデータ・機能表現マッチング部７０において、問い合わせ特徴の用語と、用語別機能表現の用語どうしが一致しない場合であっても、どちらかの拡張した用語と元の用語、或いは双方の拡張した用語同士が一致する場合は、問い合わせデータ・機能表現マッチング部７０においてマッチングの対象とする。
【０１２７】
一方、機能表現に基づく関連用語拡張部７２は、用語別機能表現の用語を、類似の機能表現をもつ別の用語に拡張する手段である。
【０１２８】
用語には、兄弟的な関係となる他の用語が存在する。例えば、foo-01に対して、同じスマートフォンの他のメーカから発売された携帯uoo-Z1があったとする。このとき、foo-01とuoo-Z1は、類似或いは同じ機能を多数共有する兄弟関係になる。そのため、foo-01に関する問い合わせに関連する機能が、uoo-Z1の解説に記述されている場合が有る。よって、機能表現に基づく関連用語拡張部７２では、用語別機能表現抽出部５０で抽出された用語別の機能表現を比較する。この、比較の結果、類似或いは共通の機能表現を有すると考えられる用語を、それぞれ兄弟的な関係の用語と認定する。そして、兄弟的な関係の用語の内の一方の用語を他方の用語に拡張する。機能表現の類似や共通の判定には、テキスト類似度判定技術を用いる。
【０１２９】
用語間関係に基づく関連用語拡張部７１、或いは、機能表現に基づく関連用語拡張部７２で用語が拡張された後、問い合わせデータ・機能表現マッチング部７０の処理は、まったく同様である。
【０１３０】
ファセット用表現選別部８０は、問い合わせデータ・機能表現マッチング部７０でのマッチング結果を受け付け、用語別機能表現抽出部５０で抽出された用語別機能表現のうち、問い合わせデータと対応付けられた用語別機能表現のみを、ファセット用表現として選別する手段である。
【０１３１】
なお、選別では１つ以上の問い合わせデータと対応付けられた用語別機能表現の全てを、ファセット用表現として選別しても良い。
【０１３２】
また、対応する問い合わせデータの数を用いて、対応する問い合わせデータの数が特定の閾値を超えた用語別機能表現のみを、ファセット用表現として選別しても良い。例えば、閾値を３とした場合には、４つ以上の問い合わせデータと対応付けられた用語別機能表現のみをファセット用表現として選別し、３以下の問い合わせデータと対応付けられた用語別機能表現に関してはファセット用表現として選別しないようにしても良い。
【０１３３】
更に、選別した用語別機能表現をそのままファセット用表現とするのではなく、機能や提供するサービスを表す表現を、「〜したい場合」のようにユーザの要望や目的を表す表現に書き換えて用いても良い。例えば、図３の１行目の機能表現では、「起動中のアプリケーションを切り替えることができます」から「起動中のアプリケーションを切り替える場合」のようなファセット用の表現に書き換えてもよい。このような置き換えを行うことにより、ユーザがファセット表現を容易に理解することができ、より一層ユーザの利便性を向上させることが可能となる。なお、どのような書き換えを行うかは、本発明の実施の形態を使用する際の用途や目的に応じて、事前に定めておく。
【０１３４】
検索ナビゲーション用ファセット出力部９０は、ファセット用表現選別部８０で選別されたファセット用表現を、出力する部分である。このとき、ファセット生成装置１００では、選別されたファセット用表現の元の用語別機能表現と、問い合わせデータ・機能表現マッチング部７０とでマッチングした問い合わせデータとを対応付けを保持しておく。
【０１３５】
これにより、ファセット用表現が検索ナビゲーション用ファセットとしてユーザに提示された後、各ファセットを選択したユーザに対し、絞り込み検索の結果として提示する問い合わせデータを容易に特定できる。例えば、検索ナビゲーションにおいて、図３の１行目の機能表現にもとづき出力されたファセット用表現「起動中のアプリケーションを切り替える場合」をユーザが選択すると、図３の１行目の機能表現に対応付いている問い合わせデータが絞り込み検索の結果としてユーザに提示される。
【０１３６】
より具体的に説明すると、上述の説明では、図５を例に取って、特徴ID5が割り当てられた特徴、特徴ID6が割り当てられた特徴、及び特徴ID7が割り当てられた特徴が、図３の１行目の機能表現「起動中のアプリケーションを切り替えることができます」にマッチングするものとした。よって、検索ナビゲーションにおいて、図３の１行目の機能表現にもとづき出力されたファセット用表現「起動中のアプリケーションを切り替える場合」をユーザが選択すると、図３の１行目の機能表現に対応付いている、抽出元の問い合わせデータIDQ4、Q5及びQ6をＩＤに持つ問い合わせデータが絞り込み検索の結果としてユーザに提示される。
【０１３７】
なお、検索ナビゲーション用ファセット出力部９０によりファセットや問い合わせデータの提示方法は任意の方法であって構わない。例えば検索ナビゲーション用ファセット出力部９０をディスプレイにより実現し、このディスプレイ上に絞り込み検索の結果を提示するようにしても良い。また、検索ナビゲーション用ファセット出力部９０をプリンタにより実現し、絞り込み検索の結果を紙に印刷して出力するようにしても良い。
【０１３８】
続いて図７のフローチャートを参照して本実施形態の動作について説明する。
【０１３９】
まず、検索条件入力部１０が、ユーザから検索条件を入力として受け付ける（ステップＳ２０１）。そして、受け付けた検索条件は、問い合わせデータ検索部２０に送られる。
【０１４０】
問い合わせデータ検索部２０は、ステップＳ２０１において受け付けられた検索条件に基づいて問い合わせデータ集合記録部３０を検索する（ステップＳ２０２）。検索の結果抽出された問い合わせデータは、問い合わせデータ特徴抽出部６０に送られる。
【０１４１】
続いて、問い合わせデータ特徴抽出部６０は、受け取った問い合わせデータ内に含まれる問い合わせデータの特徴を抽出する（ステップＳ２０３）。抽出した問い合わせデータの特徴の特徴は問い合わせデータ・機能表現マッチング部７０に送られる。
【０１４２】
一方、用語別機能表現抽出部５０は、マニュアル・カタログ・解説データベース４０に記録されている用語の説明文書から用語毎に機能表現を抽出する（ステップＳ２０４）。抽出した用語別機能表現は問い合わせデータ・機能表現マッチング部７０に送られる。
【０１４３】
次に、問い合わせデータ・機能表現マッチング部７０は、ステップＳ２０３及びステップＳ２０４にて受け取った問い合わせデータの特徴と用語別機能表現とから問い合わせに対応する機能表現を判定する（ステップＳ２０５）。判定結果はファセット用表現選別部８０に送られる。
【０１４４】
次に、ファセット用表現選別部８０は、ステップＳ２０５において問い合わせデータ・機能表現マッチング部７０で判定された機能表現からファセットとして出力する表現を選別する（ステップＳ２０６）。選別結果は検索ナビゲーション用ファセット出力部９０に送られる。
【０１４５】
最後に、検索ナビゲーション用ファセット出力部９０は、ステップＳ２０６においてファセット用表現選別部８０で選別されたファセットを出力する（ステップＳ２０７）。
【０１４６】
以上説明した本実施形態は、ユーザが自分の問題状況ややりたいことに関係する事例なのかどうかを判断することが容易な分かり易い表現で書かれたファセットを提示することができる、という効果を奏する。
【０１４７】
ここで、本発明がこのような効果を奏する理由について説明する。
【０１４８】
問い合わせデータ集合記録部３０に記録されるような、実際の問い合わせデータは、次のような良い特徴を持っている。
【０１４９】
・問い合わせを行った人が現実に問い合わせをしたいと考えたデータである。すなわち、現実の問い合わせの必要性に即したデータになっている。
【０１５０】
・問い合わせデータを多数集めたとき、統計的に多くの人が問い合わせを必要としたデータが多く集まる。すなわち、問い合わせが必要となる事例が多く発生する問い合わせは、多く集まり、逆に誰も必要としない問い合わせは、事例が自然に少なくなる。
【０１５１】
一方、実際の問い合わせデータは、ファセット抽出に利用する場合、以下のような都合の悪い特徴を持っている。
【０１５２】
・問い合わせを行った各人が発した、様々な表現が含まれている。よって、そこに含まれている質問表現を抽出し、ファセットに使用しても他の人に分かりにくい場合がある。また、同じことを指しているにも関わらず異なる表現が利用されているような場合もあり、同様の内容をまとめる場合でも、どの表現を代表として選択すれば、ユーザに分かり易いファセット表現になるのか判定できない。
【０１５３】
・要望や不具合表現を抽出すると、「なんとかしてくれ」のような一般的すぎる要望や、不可能な要望など、ファセットとして不適切な雑多な表現が含まれる。
【０１５４】
他方で、製品マニュアルやカタログ、解説などの説明文書は、人手でその機能が分かり易く書かれた表現に作られている、機能として可能な表現のみ現れている、使われている文言が統一されている、といったファセットとして適切な特徴を有している。しかし、よく使用される機能の説明も、滅多に使用されない機能の説明も存在する、複数の製品・サービスを組み合わせて実現される機能表現が含まれていない、などそのまま全てをファセットとして利用する場合、都合の悪い性質も有する。
【０１５５】
そこで、実際の問い合わせデータと、説明文書から抽出した機能表現とを対応付け、実際の問い合わせデータに対応した機能表現のみを、ファセットに用いることで、ユーザに分かり易い表現でありながら、実際の問い合わせデータが発生する状況に応じたファセットを選別することができる。
【０１５６】
なお、上記のファセット生成装置は、ハードウェア、ソフトウェア又はこれらの組合わせにより実現することができる。また、上記のファセット生成装置により行なわれるファセット提示方法も、ハードウェア、ソフトウェア又はこれらの組合わせにより実現することができる。ここで、ソフトウェアによって実現されるとは、コンピュータがプログラムを読み込んで実行することにより実現されることを意味する。
【０１５７】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１５８】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【０１５９】
上記の実施形態の一部又は全部は、以下の付記のようにも記載されうるが、以下には限られない。
【０１６０】
（付記１）  少なくとも質問を含んだデータである問い合わせデータから、該問い合わせデータに関連する用語と、該問い合わせデータに含まれている質問の意図を表す表現と、を組にして抽出する問い合わせデータ特徴抽出手段と、
前記用語に対応した機能を説明する文書データから、用語と、該用語に対応した機能を示す表現と、を組にして抽出する用語別機能表現抽出手段と、
前記データ特徴表現抽出手段の抽出結果と、前記用語別機能表現抽出手段の抽出結果とのそれぞれに含まれている前記用語が一致するもの同士で、前記質問の意図を表す表現と前記各用語に対応する機能を示す表現のマッチングを行う問い合わせデータ・機能表現マッチング手段と、
前記問い合わせデータ・機能表現マッチング手段によるマッチング結果に基づいて選別した前記機能を示す表現に基づいて前記問い合わせデータを絞り込むファセットの表現を生成するファセット用表現選別手段と、
を備えることを特徴とするファセット生成装置。
【０１６１】
（付記２）  付記１に記載のファセット生成装置であって、
前記問い合わせデータ・機能表現マッチング手段は、前記データ特徴表現抽出手段の抽出結果に含まれている質問の意図を表す表現と前記用語別機能表現抽出手段の抽出結果に含まれている用語の機能を示す表現とが、同義又は類似の場合にマッチングしていると判断することを特徴とするファセット生成装置。
【０１６２】
（付記３）  付記１又は２に記載のファセット生成装置であって、
ユーザから入力された検索条件に適合する問い合わせデータを、問い合わせデータの集合から検索する問い合わせデータ検索手段を更に備え、
前記問い合わせデータ特徴抽出手段が抽出元とする問い合わせデータとは、前記問い合わせデータ検索手段の検索により発見された、前記ユーザから入力された検索条件に適合する問い合わせデータであることを特徴とするファセット生成装置。
【０１６３】
（付記４）  付記１乃至３の何れか１に記載のファセット生成装置であって、
前記問い合わせデータ・機能表現マッチング手段が、
前記問い合わせデータ特徴表現抽出手段の抽出結果に含まれている用語又は前記用語別機能表現抽出手段の抽出結果に含まれている用語の何れか又は双方の用語を、用語間の同義関係、類義関係、上位下位関係及び共起関係の何れか又はそれらの組合せに基づき他の用語に拡張し、拡張後の用語を用いて前記一致するか否かの判断を行うことを特徴とするファセット生成装置。
【０１６４】
（付記５）  付記１乃至４の何れか１に記載のファセット生成装置であって、
前記問い合わせデータ・機能表現マッチング手段が、前記用語別機能表現抽出手段の抽出結果に含まれている用語を類似ないしは同一の機能を有する他の用語に拡張し、拡張後の用語を用いて前記一致するか否かの判断を行うことを特徴とするファセット生成装置。
【０１６５】
（付記６）  付記１乃至５の何れか１に記載のファセット生成装置であって、
前記問い合わせデータ・機能表現マッチング手段が、前記データ特徴表現抽出手段の抽出結果に含まれている質問の意図を表す表現と前記用語別機能表現抽出手段の抽出結果に含まれている用語の機能を示す表現との何れかの表現の一部を他の表現に置き換えたうえで前記マッチングを行うことを特徴とするファセット生成装置。
【０１６６】
（付記７）  付記１乃至６の何れか１に記載のファセット生成装置であって、
ファセット用表現選別手段は、前記機能を示す表現の一部の表現を他の表現に置き換えて前記ファセットの表現を生成することを特徴とするファセット生成装置。
【０１６７】
（付記８）  付記１乃至７の何れか１に記載のファセット生成装置であって、
前記生成したファセットを利用者に提示するための出力手段を更に備えることを特徴とするファセット生成装置。
【０１６８】
（付記９）  少なくとも質問を含んだデータである問い合わせデータから、該問い合わせデータに関連する用語と、該問い合わせデータに含まれている質問の意図を表す表現と、を組にして抽出する問い合わせデータ特徴表現抽出ステップと、
前記用語に対応した機能を説明する文書データから、用語と、該用語の機能を示す表現と、を組にして抽出する用語別機能表現抽出ステップと、
前記データ特徴表現抽出ステップの抽出結果と、前記用語別機能表現抽出ステップの抽出結果とのそれぞれに含まれている前記用語が一致するもの同士で、前記質問の意図を表す表現と前記各用語の機能を示す表現のマッチングを行う問い合わせデータ・機能表現マッチングステップと、
前記問い合わせデータ・機能表現マッチングステップによるマッチング結果に基づいて選別した前記機能を示す表現に基づいて前記問い合わせデータを絞り込むファセットの表現を生成するファセット用表現選別ステップと、
を含むことを特徴とするファセット生成方法。
【０１６９】
（付記１０）  コンピュータをファセット生成装置として機能させるファセット生成プログラムであって、
前記コンピュータを、
少なくとも質問を含んだデータである問い合わせデータから、該問い合わせデータに関連する用語と、該問い合わせデータに含まれている質問の意図を表す表現と、を組にして抽出する問い合わせデータ特徴表現抽出手段と、
前記用語に対応した機能を説明する文書データから、用語と、該用語の機能を示す表現と、を組にして抽出する用語別機能表現抽出手段と、
前記データ特徴表現抽出手段の抽出結果と、前記用語別機能表現抽出手段の抽出結果とのそれぞれに含まれている前記用語が一致するもの同士で、前記質問の意図を表す表現と前記各用語の機能を示す表現のマッチングを行う問い合わせデータ・機能表現マッチング手段と、
前記問い合わせデータ・機能表現マッチング手段によるマッチング結果に基づいて選別した前記機能を示す表現に基づいて前記問い合わせデータを絞り込むファセットの表現を生成するファセット用表現選別手段と、
を備えるファセット生成装置として機能させることを特徴とするファセット生成プログラム。
【産業上の利用可能性】
【０１７０】
本発明は、ユーザが過去の問い合わせ事例(過去事例)を検索する検索システムにおいて、検索結果をさらに絞り込み検索する際のファセットを提示する目的に好適である。また、本発明を使用して得られたファセットを直接ユーザに提示するだけでなく、本発明で得られたファセットを過去事例をクラスタリングする目的や、過去事例の分析目的にも応用可能である。また、本発明はこれらの目的を実現するための任意の機器に適用可能である。
【符号の説明】
【０１７１】
１０  検索条件入力部
２０  問い合わせデータ検索部
３０  問い合わせデータ集合記録部
４０  マニュアル・カタログ・解説データベース
５０  用語別機能表現抽出部
６０  問い合わせデータ特徴抽出部
７０  問い合わせデータ・機能表現マッチング部
７１  用語間関係に基づく関連用語拡張部
７２  機能表現に基づく関連用語拡張部
８０  ファセット用表現選別部
９０  検索ナビゲーション用ファセット出力部
１００  ファセット生成装置
【図１】
0006011180.tif 000002
【図２】
0006011180.tif 000003
【図３】
0006011180.tif 000004
【図４】
0006011180.tif 000005
【図５】
0006011180.tif 000006
【図６】
0006011180.tif 000007
【図７】
0006011180.tif 000008